(57)【要約】装置は電極アセンブリを含むことができ、電極アセンブリは、イオンビームを誘導するように配置された複数の電極対に配置された複数の電極を含む。所与の電極対は、公称中心光線軌道を表す円弧の半径に沿って位置し、第１の電極対の半径と隣接する電極対が角度間隔を規定する。複数の電極対は複数の角度間隔を規定し、第１の構成では、複数の角度間隔がすべて等しいわけではない。装置はまた、電極アセンブリと通電する電源を含むことができ、電源は、複数の電極に独立して電圧を供給するように構成される。
2021507461.tif 000002
【特許請求の範囲】
【請求項１】
複数の電極を含む電極アセンブリであって、前記複数の電極はイオンビームを誘導するように配置された複数の電極対に配置され、所与の電極対は、公称中心光線軌道を表す円弧の半径に沿って位置し、第１の電極対の半径と隣接する電極対が角度間隔を規定し、前記複数の電極対が複数の角度間隔を規定し、第１の構成では、前記複数の角度間隔がすべて等しいとは限らない、電極アセンブリと、
前記電極アセンブリと通電し、前記複数の電極に独立して電圧を供給するように構成されている電源と、を備える装置。
【請求項２】
前記電極アセンブリの少なくとも１つの電極が、第１の電極位置から第２の電極位置に移動可能である、請求項１に記載の装置。
【請求項３】
前記円弧は、第１電極のセットと接地電極のセットとの間の経路長を規定し
第１の構成では、前記電極アセンブリの減速長さは第１の長さであり、前記減速長さは、抑制電極のセットの位置から前記接地電極のセットの位置までの円弧に沿った距離に等しく、
前記電極アセンブリがすべての電極を等角度間隔に規定する第２の構成では、前記減速長さは第２の長さであり、第２の長さは前記第１の長さを１０パーセント以上超える、請求項１に記載の装置。
【請求項４】
前記抑制電極のセットは、前記第１電極のセットの下流ですぐ隣の第２電極のセットを含む、請求項３に記載の装置。
【請求項５】
前記電極アセンブリは５つの電極対を含む、請求項１に記載の装置。
【請求項６】
前記電極アセンブリを通してイオンビームを方向付けるイオン源をさらに含み、前記イオンビームは、前記電極アセンブリの上部電極と下部電極との間に配置される、請求項１に記載の装置。
【請求項７】
イオンビームを制御する方法であって、
前記イオンビームを静電レンズの複数の電極を含む電極アセンブリを通して誘導するステップと、
前記複数の電極に複数の電極電圧を割り当てるステップであって、前記複数の電極電圧は、第１のパービアンスを有する第１のイオンビームに対して、第１の動作モードにおいて、第１の減速長さを規定するステップと、
第１のパービアンスよりも大きい第２のパービアンスを有する第２のイオンビームに対して、第２の動作モードにおいて、前記電極アセンブリの第１の減速長さを減少させるステップと、を備える、方法。
【請求項８】
前記第１の減速長さを減少させるステップは、前記複数の電極の電圧を調整された電極電圧のセットに変更するステップを含み、前記調整された電極電圧のセットは、前記第１の減速長さよりも短い第２の減速長さを規定する、請求項７に記載の方法。
【請求項９】
前記電圧を変更するステップは、
前記電極アセンブリの入口に配置された第１の電極対の電極電圧をビーム端子電圧に割り当て、空間電荷中和を維持する、ステップと、
前記第１の電極対の下流の第２の電極対に抑制電圧を供給するステップと、
前記電極アセンブリの偏向電圧を調整して、前記複数の電極電圧によって生成されるイオンビームの出口軌道を生成するステップで、前記出口軌道は前記第１の動作モードの公称軌道と実質的に同じであるステップと、を含む請求項８に記載の方法。
【請求項１０】
前記第１の減速長さを減少させるステップは、前記第２の動作モードにおいて、抑制電極対を前記第１の動作モードにおける第１の位置から前記第１の位置の下流の前記第２の位置に移動させるステップを含む、請求項７に記載の方法。
【請求項１１】
第１の電極セットが入口電極を含み、前記第１の動作モードにおいて、抑制電圧が第１の電極セットの下流ですぐ隣の第２の電極のセットに供給され、第１の減速長さを減少させるステップは、第２の電極セットの下流の第３の電極セットに抑制電圧を割り当てることをさらに含む、請求項７に記載の方法。
【請求項１２】
前記第１の減速長さを減少させるステップは、前記第３の電極セットを前記第１の動作モードの第１の位置から前記第２の動作モードの第２の位置に移動させることをさらに含む、請求項１１に記載の方法。
【請求項１３】
イオンビームを制御する方法であって、
静電レンズの電極アセンブリを通してイオンビームを誘導するステップで、前記電極アセンブリは複数の電極を含む、ステップと、
公称中心光線軌道を規定する円弧に沿ってイオンビームを誘導するために、複数の未調整の電極電圧を複数の電極に割り当てるステップと、
前記複数の未調整電極電圧を一組の調整済み電極電圧に調整するステップで、実際のビーム経路が前記公称中心光線軌道からそれ、イオンビームの少なくとも1つのビーム特徴が変更される、ステップと、を含む、請求項１３に記載の方法。
【請求項１４】
前記複数の未調整の電極電圧は、前記電極アセンブリ内の第１の位置でイオンビームの減速を生じさせ、
前記調整された電極電圧のセットは、イオンビームの減速を電極アセンブリの第２の位置で生じさせ、
第２の位置は、第1の位置に対して上流であり、且つ
イオンビームのエネルギー汚染が低減される、請求項１３に記載の方法。
【請求項１５】
前記複数の未調整の電極電圧は、イオンビームを第１の入射角度で基板に衝突させ、
前記調整された電極電圧のセットはイオンビームを前記第１の入射角度と異なる第２の入射角度で基板に入射させる、請求項１３に記載の方法。
【発明の詳細な説明】
【関連出願の相互参照】
【０００１】
本願は、２０１７年１２月２１日に出願された、「エネルギーフィルタを用いてイオンビーム特性を制御する装置及び方法」と題する、米国特許仮出願第６２／６０８，８７９号の優先権を主張するものであり、その開示内容はその全てが参照により本願明細書に組み込まれるものとする。
【技術分野】
【０００２】
本発明は、概して、基板注入技術に関し、より詳細には、エネルギーフィルタを通して輸送されるイオンビームを改善するための構成要素および技術に関する。
【背景技術】
【０００３】
イオン注入は、衝撃によって基板にドーパントまたは不純物を導入するプロセスである。半導体製造において、電気的、光学的、または機械的特性を変更するためにドーパントが導入される。
【０００４】
イオン注入システムは、イオン源と一連のビームラインコンポーネントを備えることができる。イオン源は、イオンを生成するチャンバを備えることができる。イオン源はまた、チャンバの近くに配置された電源および引出し電極アセンブリを備えることができる。ビームラインコンポーネントは、例えば、質量分析器、第１の加速または減速段、コリメータ、および第２の加速または減速段を含むことができる。光ビームを操作するための一連の光学レンズと同様に、ビームラインコンポーネントは、特定の種、形状、エネルギー、および/またはその他の性質を有するイオンまたはイオンビームをフィルタリングし、集束し、および操作することができる。イオンビームはビームラインコンポーネントを通過し、プラテンまたはクランプに取り付けられた基板に向けることができる。基板は、ロプラトと呼ばれることもある装置によって、１次元以上の次元で動かす（たとえば、平行移動させ、回転させ、および傾ける）ことができる。
【０００５】
多くのイオン注入装置において、下流の静電モジュールは、イオンビームエネルギー、イオンビーム形状、およびイオンビームサイズを制御するための静電レンズとして機能することができる。静電モジュールは、イオンビームの方向を変えながら、イオンビームを最終エネルギーまで加速または減速することができる。イオンビームの方向を変更することによってエネルギー中性原子を排除することができ、明確に決定されたエネルギーを有する最終ビームを得ることができる。
【０００６】
既知の静電モジュールは、複数の電極対、例えば、対に配置された７つの上部および下部電極、を使用することができ、これらの電極は、そこを通過するイオンビームを拘束し、案内する。これらの電極は、イオンビームから等距離に離間されたロッドとして配置することができる。これらのロッド/電極電位は、すべてのロッド/電極電圧が下流のビームラインに対して負のままであるという制約を維持しながら、イオンビームを減速、偏向、集束させる電界を静電モジュール内に生成するように設定される。このような静電モジュールの別の特徴は、連続する電極対の間隔が等角間隔であることにある。この配置によって、ターゲットセットのイオンビームプロパティを生成するための電極電位の計算と設定をより簡単にすることができる。静電モジュールの既知の設計は、特に低エネルギーまたは高パービアンスのイオンビームの場合に、ビーム電流やビームフォーカスなどの特性を改善する能力を制限する可能性がある。
【０００７】
本発明は、これらのおよび他の考慮事項に対して提供される。
【発明の概要】
【０００８】
一実施態様において、装置は電極アセンブリを含むことができ、電極アセンブリは、イオンビームを誘導するように配置された複数の電極対に配置された複数の電極を含む。所与の電極対は、公称中心光線軌道を表す円弧の半径に沿って位置し、第１の電極対の半径と隣接する電極対が角度間隔を規定する。複数の電極対は複数の角度間隔を規定し、第１の構成では、複数の角度間隔がすべて等しいわけではない。装置はまた、電極アセンブリと通電する電源を含むことができ、電源は、複数の電極に独立して電圧を供給するように構成される。
【０００９】
さらなる実施態様において、イオンビームを制御するための方法は、静電レンズの電極アセンブリを通してイオンビームを方向付けるステップを含むことができ、電極アセンブリは複数の電極を含む。この方法は、複数の電極電圧を複数の電極に割り当てるステップを含むことができ、複数の電極電圧は、第１の性能を有する第１のイオンビームのために第１の動作モードにおいて第１の減速長さを規定する。この方法はまた、第１のパービアンスよりも大きい第２のパービアンスを有する第２のイオンビームのために第２の動作モードにおいて電極アセンブリの減速長さを減少させるステップを含むことができる。
【００１０】
追加の実施態様において、イオンビームを制御するための方法は、静電レンズの電極アセンブリを通してイオンビームを方向付けるステップを含むことができ、電極アセンブリは複数の電極を含む。この方法はさらに、公称中心光線軌道を規定する円弧に沿ってイオンビームを誘導するために、複数の未調整の電極電圧を複数の電極に割り当てるステップを含むことができる。この方法はさらに、複数の未調整電極電圧を一組の調整済み電極電圧に調整するステップを含むことができ、実際のビーム経路が中心光線軌道からそれ、イオンビームの少なくとも１つのビーム特徴が変更される。
【図面の簡単な説明】
【００１１】
【図１】本発明の実施形態による、システムを示す例示的な実施形態を示す
【図２】本発明の例示的な実施形態によるＥＭの構造および動作を示す。
【図３】減速長さの関数としての基板におけるビーム電流のシミュレーションの結果を示すモデリング結果を示す。
【図４Ａ】参照電極アセンブリを通して輸送された低エネルギーイオンビームのモデリングの結果を示す。
【図４Ｂ】本発明の実施形態による電極アセンブリを通して輸送された低エネルギーイオンビームのモデリングの結果を示す。
【図５】２つの異なる電極アセンブリに対する抑制電圧の関数としてのビーム高さのシミュレーションの結果を示す。
【図６】本発明のいくつかの実施形態による例示的なプロセスフローを示す。
【発明の実施の形態】
【００１２】
図面は必ずしも縮尺通りではない。図面は、代表的なものにすぎず、本開示の特定のパラメータを表すことを意図していない。さらに、図面は、本開示の例示的な実施形態を表すことを意図しており、そのため、発明の範囲を限定するとはみなされない。
【００１３】
本発明によるシステム及び方法がそれらのいつかの実施形態を示す添付図面を参照して、以下でより詳細に説明される。これらのシステム及び方法は多くの異なる形態で実施することができ、本明細書に記載の実施形態に限定されると解釈されるべきではない。代わりに、これらの実施形態は、本発明が詳細かつ完全であり、要旨の範囲を当業者に十分に伝えるべく提供される。図面全体にわたって、同様の番号は同様の要素を示す。
【００１４】
利便性と明確性のために、「上」、「下」、「上方」、「下方」、「垂直」、「水平」、「横方向」、及び「縦方向」という用語は、本明細書において、図面に現れる半導体製造装置のコンポーネントの形状及び向きに対して、これらのコンポーネント及びそれらの構成部の相対的な位置および向きを説明するために用いられる。技術用語は、特に述べられた用語、その派生語、並びに類似の意味及び／又は類義語を含む。
【００１５】
単数で記載された、「１つの（”a” or “an”）」という用語に続く要素又は動作は、本明細書で用いられるとき、明確に除外されることが述べられていない限り、複数の要素又は動作を含むと理解されるべきである。さらに、本発明の「一実施形態」の参照は、追加の実施形態の存在を排除することも、記載された特徴の組み込みを排除することも意図するものではない。
【００１６】
本明細書では、例えば、減速段でのイオンビームの輸送および制御を改善するための手法が提供される。例示的な実施形態では、改善された構成を採用し、イオンビームの処理の柔軟性、改善されたビーム特性、および改善された有用性を提供するＥＭタイプのコンポーネントが提供される。様々な実施形態において、電極アセンブリは、蓄積された堆積物を洗浄すべきロッド／電極の容易な除去を提供する。さらに、ＥＭを通して輸送されるビーム電流は、特に低エネルギーの高パービアンスイオンビームについては、既知のＥＭコンポーネントに対して増加させることができる。
【００１７】
図１を参照すると、システム１０を示す例示的な実施形態が示されており、システム１０は、本発明によるイオン注入システムに使用することができる。システム１０は、とりわけ、リボンビームまたはスポットビームなどのイオンビーム１８を生成するためのイオン源１４と、一連のビームラインコンポーネントとを含む。図１において、イオンビーム１８として示される円弧状の矢印は、イオンビーム１８の中心光線軌道（ＣＲＴ）の位置も表すこともできる。イオン源１４は、ガス流２４を受けてイオンを生成するためのチャンバを含み得る。イオン源１４はまた、チャンバの近くに配置された電源および引出し電極アセンブリを含み得る。ビームラインコンポーネント１６は、例えば、質量分析器３４、第１の加速または減速段３６、コリメータ３８、および第２の加速または減速段に対応する静電モジュール（ＥＭ）４０を含み得る。
【００１８】
例示的な実施形態では、ビームラインコンポーネント１６は、特定の種、形状、エネルギー、および／または他の性質を有するイオンまたはイオンビーム１８をフィルタリングし、集束し、処理することができる。ビームラインコンポーネント１６を通過するイオンビーム１８は、プロセスチャンバ４６内のプラテンまたはクランプに取り付けられた基板に向けることができる。基板は、１以上の次元内で移動（例えば、並進、回転、および傾動）させることができる。
【００１９】
ＥＭ４０は、イオンビーム１８の偏向、減速、および集束を独立して制御するように構成されたビームラインコンポーネントである。いくつかの実施形態では、ＥＭ４０は、垂直静電エネルギーフィルタ（ＶＥＥＦ）または静電フィルタ（ＥＦ）である。以下でより詳細に説明されるように、ＥＭ４０は、少なくとも１つの電極構成を規定する電極アセンブリとして構成してよい。電極構成は、イオンビーム１８の上に配置された１組の上部電極と、イオンビーム１８の下に配置された１組の下部電極とを含み得る。１組の上部電極と１組の下部電極との間の電位差は、中心イオンビーム軌道に沿って変化させてイオンビームを中心線軌道（ＣＲＴ）に沿ったさまざまな点で偏向させることもできる。システム１０は、電圧源５０として示される電極電圧源と、電極駆動部５２とをさらに含むことができ、その動作は以下でより詳細に説明される。
【００２０】
ここで図２Ａ〜図２Ｂを参照して、例示的な実施形態によるＥＭ４０の構造および動作をより詳細に説明する。図２Ａには、ＥＭ４０、電圧源５０、および電極駆動部５２を含む、ＥＭシステム１００の側断面図が示されている。図に示されるように、ＥＭ４０は、ＥＭ４０上を延在し且つイオンビーム１８を通過させる入口アパーチャ１０４および出口アパーチャ１０６を残してＥＭ４０を部分的に収容するＥＭチャンバ１０２を含む。ＥＭ ４０は、複数の電極対からなる電極アセンブリ１０８を含み、電極対の所与の電極は、イオンビーム１８の上の上部電極が接尾辞「Ａ」で示され（電極１１０−Ａ〜電極１１８−Ａ）、ビーム下部電極が接尾辞「Ｂ」で示される（電極１１０−Ｂ〜電極１１８−Ｂ）。様々な実施形態によれば、電極アセンブリ１０８の電極は、図示のデカルト座標系のＸ軸に沿って細長くしてもよい。その結果、電極は、X軸に沿って細長い断面をもつリボンビームを制御するのに役立ち、そのリボンビームは、X軸に沿って数十センチメートルの幅を有し、数センチメートル程度の高さを有するものとすることができる。実施形態は、この文脈に限定されない。
【００２１】
電圧源５０は、電極アセンブリ１０８の電極に電圧を互いに独立して供給するように構成してもよい。いくつかの実施形態では、電極対の上部および下部電極は、互いに電気的に結合してもよい。いくつかの実施形態では、各電極対の上部および下部電極は、そこを通過するイオンビーム１８を偏向させるために、（例えば、別個の導電ピースで）異なる電位を有し得る。様々な実施形態では、電圧源５０は、以下でより詳細に説明するように、電極アセンブリ１０８への電圧を計算し供給する電圧ルーチンを含むことができる。電圧ルーチンは、ソフトウェア、ソフトウェアとハードウェアの組み合わせで実装することができ、いくつかの実施形態では、少なくとも１つのコンピュータ可読媒体に格納されたコードを使用して実行することができる。
【００２２】
いくつかの実施形態では、電極アセンブリ１０８を通過するイオンビーム１８は、ホウ素、リン、ヒ素、または注入用の他の元素を含むことができる。イオンビーム１８の静電集束は、異なる電極を使ってイオンビームラインに沿った電位の勾配を制御することによって達成することができる。その結果、入力イオンビームをエネルギー範囲で使用して、極めて低いエネルギーの出力ビームでも、より高品質のビームを可能にすることができる。非限定的な一例では、イオンビーム１８が電極アセンブリ１０８の電極を通過するとき、イオンビーム１８は、１０ｋｅＶ以下、５ｋｅＶ以下、または１ｋｅＶ以下の最終エネルギーまで減速することができる。イオンビーム１８はまた、任意の角度、例えば２０度で偏向させることもできる。したがって、イオンビーム１８は、左からＥＭに入り、退出軌道で右へ退出し、退出軌道は異なる動作モード間で操作することができる。いくつかの例では、所与のモードの出口軌道は別のモードの公称軌道になるように維持することができるが、ＥＭ４０の減速長さなどの他の特性は異なるモード間で変更される。
【００２３】
様々な実施形態によれば、ＥＭ４０は、以下に詳述するように、既知のＥＭと同様の弧長を提供するために、既知のＥＭと同様のサイズで動作するように構成され得る。したがって、ＥＭ４０を通過するイオンビームの減速、偏向および集束は、既知のＥＭと同様の円弧長にわたって実行され得る。図２Ｂを参照すると、本開示の実施形態によるＥＭの電極形状の概略図が示されている。様々な実施形態によれば、電極アセンブリは、全偏向角θに対応する円弧長にわたって配置することができ、円弧長Ｌは、入口電極（電極１１０−Ａ、１１０−Ｂ参照）と出口電極（電極１１８−Ａ、１１８−Ｂ参照）の間のイオンビーム１８の経路を規定する円弧の長さを表す。
【００２４】
図２Ｂに示されるように、光線１２０として示される様々な光線は、電極１１０−Ａおよび電極１１０−Ｂなどの一対の電極の位置を規定する角度位置を表すことができる。図２Ｂに示されるように、様々な実施形態では、電極は、既知のＥＭの構成とは異なり、不等角度間隔で円弧に沿って配置される。その不等角度間隔が図２Ｂに示され、電極対を規定する連続する光線１２０の間の角度θは円弧の長さに沿って変化する。
【００２５】
様々な実施形態によれば、電極１１２-Ａおよび電極１１２-Ｂとして示される、第２の電極対（入口電極のすぐ隣で下流にある、すなわち出口アパーチャ１０６に近い）は、抑制電極として配置してよい。いくつかの実施形態によれば、抑制電極の位置から接地電極（電極１１８−Ａおよび電極１１８−Ｂ参照）までの円弧長に沿った距離を表す減速長さは、既知のＥＭと比較して短い。したがって、入口電極と出口電極（１１０〜１１８）との間の総円弧長は、既知のＥＭと同じであり得るが、抑制電極は、減速長さを短縮するように配置することができる。別の言い方をすれば、減速長さと全円弧長との比は、既知のＥＭと比較して、ＥＭ４０ではより小さくすることができる。有利なことに、減速長さの減少により、所与のイオンエネルギーでの所与のイオン種のビーム電流が増加し、最終的に基板スループットを増加させることができる。
【００２６】
いくつかの実施形態によれば、電極の少なくともいくつかの相対位置は、手動または遠隔のいずれかで調整可能であり得る。例えば、抑制電極１１２−Ａおよび抑制電極１１２−Ｂは、円弧に沿った相対位置に関して調整可能にすることができる。同じことが電極１１４−Ａおよび電極１１４−Ｂ、または他の電極にも当てはまる。一実施形態では、電極駆動部５２を、ユーザが電極アセンブリ１０８内の電極を第１の電極位置から第２の電極位置などに遠隔移動できるように構成してもよい。いくつかの実施形態によれば、第１の構成では、電極対を不等角度間隔で置くことができ、第２の構成では、電極対を等角度間隔（等角度スペーシング）で置くことができる。第２の構成は、２０ｋＶを超えるイオンエネルギーを有するイオンビームのような比較的低いパービアンスのイオンビームをＥＭ４０を通して方向づけるときの操作に適している。
【００２７】
上述のように、ＥＭ４０の機能は、イオンビーム１８の減速、曲げ（偏向）および集束を含み得る。
【００２８】
様々な実施形態では、以下に詳述するように、特定のアルゴリズムに基づいてＥＭの電極に電圧を割り当てるために電圧ルーチンを実装することができる。本開示のいくつかの実施形態では、電極アセンブリの電極に印加すべき電界および電圧は、いわゆるアルファアルゴリズムに基づいて計算することができる。ＥＭの電極によって生成される電界は、３つの電界の重ね合わせと見なすことができるが、すべての電極電圧が下流のコンポーネントに対して負のままであるという制約が課される。ＣＲＴの電圧の一般方程式は、次の式で与えられる。
【数１】
2021507461.tif 000003
ここで、Vss=−D1−Ｖs、θiは電極角度位置、θn−０は接地電極角度位置、θsは抑制電極角度位置、Ｄ1は減速電位、Ｖsは抑制電圧、θs−θnは減速長さ、およびθs−θn-1は偏向長さである。
【００２９】
上記の方程式において、接地電極は、電極アセンブリの最終（最下流）電極であり得る。様々な実施形態によれば、電極アセンブリの電極が不等角度間隔で配置される場合には、ｎ対のロッド/電極と仮定して、電極アセンブリ内の抑制および接地ロッド／電極間の電圧勾配を計算するいわゆるアルファアルゴリズムに修正を加えることができる。さらに、イオンビームの中心のようなイオンビームの実際の経路を電極アセンブリの中心線によって定義される公称中心光線軌道からそらせることができる。
【００３０】
様々な実施形態において、イオンビームは円弧状経路に沿って進むことができるが、垂直ビーム角度補正に必要な偏向長さは、同様の円弧長を有する既知のＥＭと比較して短い。いくつかの実施形態では、ＥＭの偏向および集束場は、電極アセンブリの円弧状経路に沿って異なる長さにわたって作用し、上述のように、イオンビームがＣＲＴからそれて実際の軌道または実際の経路を進むことができる。
【００３１】
次の方程式は、グレーデッドレンズの円弧状経路に沿ったイオンエネルギーを定義し、ビーム集束と残留エネルギー汚染を制御するためのレンズ減速のグレーディングに使用される。
【数２】
2021507461.tif 000004
ここで、ＵiはＣＲＴに沿うイオンエネルギー関数であり、Ｕfは最終イオンエネルギーであり、Ｕsは抑制電極におけるイオンエネルギーである。
【００３２】
減速および偏向電圧分布の重ね合わせは、以下の方程式によって与えられる：
【数３】
2021507461.tif 000005
ここで、ｇiは電極ギャップ、ｆ＝dθ/dｚ偏向係数、およびｑはイオン電荷である。
【００３３】
レンズの長さに沿う線形偏向を仮定すると、ロッド/電極電圧グレーディングに関する上記の方程式は次のように変化する：
【数４】
2021507461.tif 000006
ここで、ＣおよびＤはイオンビーム角度制御のための仮想調整ノブを表し、一方Ｒは電極アセンブリの円弧状中心線の半径である。
【００３４】
本発明の実施形態によれば、有効減速および偏向長さと集束の制御は、θsおよびθn（θs−θn）減速長さおよび（θs−θn-1）偏向長さ）を注意深く選択することによって達成される。
【００３５】
ＥＭの集束力の増加は空間電荷デフォーカスにより支配される高パービアンスビームの輸送に有用である。数値解析によってＥＭスケールの集束力はリボンビームなどのイオンビームのパービアンス（P）とともにｄ/ＰＬ2で示された。ここで、
【数５】
2021507461.tif 000007
はリボンビームのパービアンスであり、ｄはビームの高さ／フィルファクタであり、Ｌは減速長さである。このスケーリング則から、ｄの２０％の増加およびＬの３０％の減少は、１．２０／０．７２＝２．４４倍の輸送イオンビーム電流の増加を生じる。
【００３６】
図３は、基板（ＲＯＩ）におけるビーム電流のシミュレーションの結果を上記の方程式で定義された減速長の関数として示すモデリング結果を示す。 図３の結果は、ビーム電流が、２５０ｍｍのＬ値より実質的に下で増加し、特に２００ｍｍより下で急速に増加することを明示している。 本実施形態の利点は、減速長さおよび偏向長さを調整して、広範囲のビームエネルギーにわたってＥＭのビーム輸送を増加または最大にする能力にある。例えば、図３に示すように、１ｋｅＶ未満のエネルギーでは、より短い減速長さを使用すると、イオンビーム電流の大幅な増加を得ることができる。５ｋｅＶ未満のエネルギーでは、減速長さと偏向長さの両方を短くするのがビーム輸送の強化に最適である。 ２０ｋｅＶ以上のエネルギーでは、角度補正のために偏向長さを延長する必要があるが、減速長さの延長は収差の低減に役立つ。
【００３７】
上記の結果を考慮して、本発明の様々な実施形態によれば、静電モジュールは、減速長さが既知の静電モジュール構成の減速よりも実質的に短くなるように構成することができる。したがって、同じフォームファクターの場合、第１電極セットと接地電極セットの間の経路長は同じであり、等角度間隔で配置された電極対を持つ既知のＥＭの減速長さは、本実施形態に従って配置されたＥＭの減速長さを１０パーセント以上超える可能性がある。
【００３８】
本実施形態のＥＭのよりコンパクトな構成は、他の利点も提供することができる。様々な実施形態によれば、ＥＭの電極アセンブリ内の電極は、集束力を改善するように配置してもよい。図４Ａおよび図４Ｂは、それぞれ、参照電極アセンブリおよび実施形態による電極アセンブリを通して輸送される低エネルギーイオンビームのモデリングの結果を提示する。図４Ａの参照電極アセンブリ４１０および図４Ｂの電極アセンブリ４２０は同じ寸法を有し、入口電極（左端）と接地電極（右端）との間の距離が同じであるＥＭを使用する。参照電極アセンブリ４１０は７つの電極対を使用し、一方電極アセンブリ４２０は５つの電極対を使用する。別の違いは、電極アセンブリ４２０の第２の電極対（減速電極）が、参照電極アセンブリ４１０の対応する減速電極に対して下流に配置されていることにある（参照電極アセンブリ４１０の第２の電極対も減速電極である）。言い換えると、第１の電極対と第２の電極対との間の角度の広がりは、電極アセンブリ４２０の方が大きい。その結果、減速長さ、抑制電極と接地電極との間の円弧長は、電極アセンブリ４２０の方が短い。
【００３９】
図４Ａおよび図４Ｂのシミュレーションでは、３ｋｅＶのリン（Ｐ＋）イオンビームの輸送が、３３から３ｋｅＶの減速比で示されている。これらのシミュレーションでは、参照電極アセンブリ４１０は、Ｌ ＝ ２５０ｍｍの有効減速長さを有し、一方、電極アセンブリ４２０は、Ｌ ＝ ２２５ｍｍの減速長さを有する。結果は、電極アセンブリ４２０がより大きな集束を生成することを示し、参照電極アセンブリ４１０は、垂直クロスオーバーが基板平面を越えて生じるとき、電極アセンブリ４２０と比較して、より高いイオンビームを基板に生成する。電極アセンブリの集束力が参照電極アセンブリに対して４５％増加すると見なすことができる。
【００４０】
次に、図５を参照すると、３３から３ｋｅＶの減速比を有する参照電極アセンブリ４１０および電極アセンブリ４２０に対する、３ｋｅＶのＰ＋イオンビームの抑制電圧の関数としてのビーム高さのシミュレーションの結果が示されている。図に示されるように、低いエネルギービームについては、図示の抑制電圧範囲にわたって、ビーム高さは、本開示の実施形態に従ってより短い減速長さで配置された電極アセンブリ４２０の方が実質的に小さい。
【００４１】
本発明の様々な実施形態によれば、偏向場の有無にかかわらず、任意の数の電極を有するグレーデッド形レンズ（電極アセンブリ）は、コンピュータプログラムコードによって調整され制御された減速および偏向電圧分布を有し得る。このコンピュータプログラムコードを特定のロッド/電極配線と組み合わせることで、電位分布を簡単に再調整して、ビームパービアンスに一致する所望の集束、減速、偏向を有する異なるレンズ構造を形成することができる。このようなシステムは、分離されたレンズモジュールを使用することができ、それらのモジュールは可変の減速、偏向および焦点領域を有効にするために容易に再配線することができる。
【００４２】
図６は、本発明のいくつかの実施形態による例示的なプロセスフロー６００を示す。ブロック６０２において、イオンビームを静電レンズの電極アセンブリを通して誘導する。いくつかの実施形態では、イオンビームはリボンビームであってよく、電極アセンブリは複数の電極を含み得る。ブロック６０４において、複数の電極に複数の電極電圧を割り当て、複数の電極電圧は、第１のパービアンスを有する第１のイオンビームに対して、第１の動作モードにおいて、第１の減速長さを規定する。いくつかの例では、ビーム端子電圧は、電極アセンブリの入口に配置された第１の電極対に割り当てることができる。
【００４３】
ブロック６０６において、電極アセンブリの減速長さを、第１のパービアンスよりも大きい第２のパービアンスを有する第２のイオンビームに対して、第２の動作モードにおいて、第２の減速長さに減少させる。いくつかの実施形態では、減速長さは動作モードの間で５％、１０％、または２０％短縮することができる。
【００４４】
要約すると、本実施形態は、円弧に沿って不等角度間隔で配置されたロッド／電極を使用して、グレーデッド減速レンズ（静電レンズ）として具体化されたＥＭを提供する。様々な実施形態は、ＥＭの有効偏向長さおよび減速長さを制御する方法を提供する。特定の実施形態では、イオンビームを制御するための方法は、減速／偏向レンズ内の電極電圧を割り当てるためのコンピュータコードを含み、スケーリング則に従って、減速長さ／偏向長さをビームパービアンスに一致するように調整することができる。この方法は式1〜4で例証され、例えばビーム端子電圧、偏向電圧などの複数の電圧をＥＭの電極に割り当て、これらの電圧が減速長さおよび/または偏向長さをビームパービアンスに一致するように調整する。一例として、所定の数の電極対を有する実施形態では、電極対を移動する代わりに、またはそれに加えて、異なる電極対間の電圧の割り当てを切り替えることによって減速長さを調整して、第２の電極対が第１の電極対とは対照的に抑制電極対になるようにすることができる。
【００４５】
異なる電極対への電圧の割り当ての切り替えの１つの結果は、電極アセンブリの中心線によって決まる公称中心光線軌道とは異なる実際の経路に沿って向けて、ウェーハ面におけるエネルギー汚染の制御を達成する能力である。特定の実施形態では、偏向長さを制御してゼロとは異なる平均ビーム角度を達成するための「ノブ」が提供される。この制御は、パターニングなどのリアルタイムの角度制御が必要な材料処理にとって重要であり得る。
【００４６】
特定の実施形態では、未調整の電極電圧のセットは、イオンビームを第１の入射角で基板に衝突させ、一方、調整した電極電圧のセットは、イオンビームを第１の入射角とは異なる第２の入射角で基板に衝突させることができる。
【００４７】
上記を考慮すると、少なくとも以下の利点が、本開示の実施形態によって達成される。グレーデッドレンズ（電極アセンブリ）における調整可能な減速／偏向長さは、本開示のＥＭによって実現される。利点の1つは、ＥＭのビーム輸送が改善され、高パービアンスビームが可能になることである。別の利点として、ビームの収差が小さく、減速領域内で平行ビームを得ることができ、静電フォーカスと空間電荷デフォーカスの良いバランスをとることができる。スループットの増加、すなわち、ＥＭを通して輸送されるビーム電流の増加が、本開示の実施形態によって提供される。いくつかの実施形態では、グレーデッドレンズの有用性の向上が提供される。
【００４８】
本明細書では本発明の特定の実施形態について説明したが、本発明は当技術分野で許容される範囲に亘って広範囲であり、明細書も同様に読み取ることができるため、本発明示はそれらに限定されない。したがって、上記の説明は、限定として解釈されるべきではない。当業者であれば本明細書に添付された特許請求の範囲および主旨の範囲内で他の変更を想定するであろう。
【図１】
2021507461.tif 000008
【図２Ａ】
2021507461.tif 000009
【図２Ｂ】
2021507461.tif 000010
【図３】
2021507461.tif 000011
【図４Ａ】
2021507461.tif 000012
【図４Ｂ】
2021507461.tif 000013
【図５】
2021507461.tif 000014
【図６】
2021507461.tif 000015
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
複数の電極を含む電極アセンブリであって、前記複数の電極はイオンビームを誘導するように配置された複数の電極対に配置され、所与の電極対は、公称中心光線軌道を表す円弧の半径に沿って位置し、第１の電極対の半径と隣接する電極対の半径が角度間隔を規定し、前記複数の電極対が複数の角度間隔を規定し、第１の構成では、前記複数の角度間隔がすべて等しいとは限らない、電極アセンブリと、
前記電極アセンブリと通電し、前記複数の電極に独立して電圧を供給するように構成されている電源と、を備える、イオンビームを制御する装置。
【請求項２】
前記電極アセンブリの少なくとも１つの電極が、第１の電極位置から第２の電極位置に移動可能である、請求項１に記載のイオンビームを制御する装置。
【請求項３】
前記円弧は、第１電極のセットと接地電極のセットとの間の経路長を規定し、
前記第１の構成では、前記電極アセンブリの減速長さは第１の長さであり、前記減速長さは、抑制電極のセットの位置から前記接地電極のセットの位置までの円弧に沿った距離に等しく、
前記電極アセンブリがすべての電極を等角度間隔に規定する第２の構成では、前記減速長さは第２の長さであり、第２の長さは前記第１の長さを１０パーセント以上超える、請求項１に記載のイオンビームを制御する装置。
【請求項４】
前記抑制電極のセットは、前記第１電極のセットの下流ですぐ隣の第２電極のセットを含む、請求項３に記載のイオンビームを制御する装置。
【請求項５】
前記電極アセンブリは５つの電極対を含む、請求項１に記載のイオンビームを制御する装置。
【請求項６】
前記電極アセンブリを通してイオンビームを方向付けるイオン源をさらに含み、前記イオンビームは、前記電極アセンブリの上部電極と下部電極との間に配置される、請求項１に記載のイオンビームを制御する装置。
【請求項７】
イオンビームを制御する方法であって、
前記イオンビームを静電レンズの複数の電極を含む電極アセンブリを通して誘導するステップと、
前記複数の電極に複数の電極電圧を割り当てるステップであって、前記複数の電極電圧は、第１のパービアンスを有する第１のイオンビームに対して、第１の動作モードにおいて、第１の減速長さを規定するステップと、
第１のパービアンスよりも大きい第２のパービアンスを有する第２のイオンビームに対して、第２の動作モードにおいて、前記電極アセンブリの第１の減速長さを減少させるステップと、を備える、方法。
【請求項８】
前記第１の減速長さを減少させるステップは、前記複数の電極の電極電圧を調整された電極電圧のセットに変更するステップを含み、前記調整された電極電圧のセットは、前記第１の減速長さよりも短い第２の減速長さを規定する、請求項７に記載の方法。
【請求項９】
前記電極電圧を変更するステップは、
前記電極アセンブリの入口に配置された第１の電極対の前記電極電圧をビーム端子電圧に割り当て、空間電荷中和を維持する、ステップと、
前記第１の電極対の下流の第２の電極対に抑制電圧を供給するステップと、
前記電極アセンブリの偏向電圧を調整して、前記複数の電極電圧によって生成されるイオンビームの出口軌道を生成するステップで、前記出口軌道は前記第１の動作モードの公称軌道と実質的に同じであるステップと、
を含む請求項８に記載の方法。
【請求項１０】
前記第１の減速長さを減少させるステップは、前記第２の動作モードにおいて、抑制電極対を前記第１の動作モードにおける第１の位置から前記第１の位置の下流の前記第２の位置に移動させるステップを含む、請求項７に記載の方法。
【請求項１１】
第１の電極セットが入口電極を含み、前記第１の動作モードにおいて、抑制電圧が第１の電極セットの下流ですぐ隣の第２の電極のセットに供給され、第１の減速長さを減少させるステップは、第２の電極セットの下流の第３の電極セットに抑制電圧を割り当てることをさらに含む、請求項７に記載の方法。
【請求項１２】
前記第１の減速長さを減少させるステップは、前記第３の電極セットを前記第１の動作モードの第１の位置から前記第２の動作モードの第２の位置に移動させることをさらに含む、請求項１１に記載の方法。
【請求項１３】
イオンビームを制御する方法であって、
静電レンズの電極アセンブリを通してイオンビームを誘導するステップで、前記電極アセンブリは複数の電極を含む、ステップと、
公称中心光線軌道を規定する円弧に沿ってイオンビームを誘導するために、複数の未調整の電極電圧を複数の電極に割り当てるステップと、
前記複数の未調整電極電圧を一組の調整済み電極電圧に調整するステップで、実際のビーム経路が前記公称中心光線軌道からそれ、イオンビームの少なくとも1つのビーム特徴が変更される、ステップと、を含む、請求項１３に記載の方法。
【請求項１４】
前記複数の未調整の電極電圧は、前記電極アセンブリ内の第１の位置でイオンビームの減速を生じさせ、
前記調整された電極電圧のセットは、イオンビームの減速を電極アセンブリの第２の位置で生じさせ、
第２の位置は、第1の位置に対して上流であり、且つ
イオンビームのエネルギー汚染が低減される、請求項１３に記載の方法。
【請求項１５】
前記複数の未調整の電極電圧は、イオンビームを第１の入射角度で基板に衝突させ、
前記調整された電極電圧のセットはイオンビームを前記第１の入射角度と異なる第２の入射角度で基板に入射させる、請求項１３に記載の方法。
【手続補正３】
【補正対象書類名】明細書
【補正対象項目名】０００８
【補正方法】変更
【補正の内容】
【０００８】
一実施形態において、イオンビームを制御する装置は電極アセンブリを含むことができ、電極アセンブリは、イオンビームを誘導するように配置された複数の電極対に配置された複数の電極を含む。所与の電極対は、公称中心光線軌道を表す円弧の半径に沿って位置し、第１の電極対の半径と隣接する電極対の半径が角度間隔を規定する。複数の電極対は複数の角度間隔を規定し、第１の構成では、複数の角度間隔がすべて等しいわけではない。装置はまた、電極アセンブリと通電する電源を含むことができ、電源は、複数の電極に独立して電圧を供給するように構成される。
【手続補正４】
【補正対象書類名】明細書
【補正対象項目名】００３７
【補正方法】変更
【補正の内容】
【００３７】
上記の結果を考慮して、本発明の様々な実施形態によれば、静電モジュールは、減速長さが既知の静電モジュール構成の減速長さよりも実質的に短くなるように構成することができる。したがって、同じフォームファクターの場合、第１電極セットと接地電極セットの間の経路長は同じであり、等角度間隔で配置された電極対を持つ既知のＥＭの減速長さは、本実施形態に従って配置されたＥＭの減速長さを１０パーセント以上超える可能性がある。
【手続補正５】
【補正対象書類名】図面
【補正対象項目名】図１
【補正方法】変更
【補正の内容】
【図１】
2021507461.tif 000016
【手続補正６】
【補正対象書類名】図面
【補正対象項目名】図４Ａ
【補正方法】変更
【補正の内容】
【図４Ａ】
2021507461.tif 000017
【手続補正７】
【補正対象書類名】図面
【補正対象項目名】図４Ｂ
【補正方法】変更
【補正の内容】
【図４Ｂ】
2021507461.tif 000018
【国際調査報告】
2021507461.tif 000019
2021507461.tif 000020
2021507461.tif 000021